(57)【特許請求の範囲】
【請求項１】
発光点が二次元配列され、主走査方向と副走査方向とに間隔を持って複数の光ビームを射出する光源と、前記光源から射出した複数の前記光ビームを同一の偏向面で反射し、主走査方向に偏向走査させる偏向器と、を備え、
偏向走査された複数の前記光ビームにおける主走査方向に間隔を持った複数の光ビームで同一の被走査体上を同時に走査し、且つ、複数の被走査体上を同時に走査することがきる光走査装置であって、
前記光源と前記偏向器との間に設けられ、コリメートレンズと、前記コリメートレンズでコリメートされた複数の前記光ビームを主走査方向に結像させる第１光学系と、前記第１光学系で結像された複数の前記光ビームを略平行とする第２光学系と、と有する偏向前光学系を備え、
前記偏向前光学系を構成する前記第１光学系及び前記第２光学系は、複数の前記光ビームの前記被走査体上のビームウエスト位置が一致又は略一致するように設定された主走査断面形状が非円弧形状の非球面とされた偏向面内にのみパワーを有するアナモフィックレンズで構成されていることを特徴とする光走査装置
【請求項２】
前記アナモフィックレンズは、光軸から主走査方向に離れるに従い、主走査方向のパワーが減ずることを特徴とする請求項１に記載の光走査装置。
【請求項３】
前記偏向前光学系は、副走査方向のパワーも有し、前記偏向面近傍で副走査方向に集光することを特徴とする請求項１又は請求項２に記載の光走査装置。
【発明の詳細な説明】
【技術分野】
【０００１】
本発明は、光走査装置に関する。
【背景技術】
【０００２】
プリント速度の高速化、高解像度化のために複数の光ビームを射出する光源を用いた光走査装置がある。このような光走査装置において、倍率の制約を回避するために複数の光ビームを略偏向方向に配列し、同時に一つの感光体上を複数の光ビームで走査する場合、回転多面鏡の偏向面上に入射する光ビームの間隔が広がるため偏向面が大きくなる。このため回転多面鏡全体が大きくなってしまうという問題がある。
【０００３】
したがって、偏向方向に平行な方向、すなわち主走査方向にパワーを持った偏向前光学系を回転多面鏡の前に配置し、複数の光ビームを回転多面鏡の偏向面の近傍で主走査方向に交差するようにし、偏向面に入射する各光ビームに角度を持たせ、偏向面を大きくしない構成が提案されている。
【０００４】
また、図９に示すように、二次元配列された発光点を有する光源５１４からのレーザビームを、行毎に分離して複数の感光体５１２Ｙ〜５１２Ｋを同時に走査する構成の光走査装置５１０においても、一つの感光体５１２を同時に複数のレーザビームで走査する。よって、同様に回転多面鏡全体が大きくなってしまうので、主走査方向にパワーを持つ偏向前レンズ５２６，５２７によって、複数のレーザビームを回転多面鏡５１８の偏向面の近傍で主走査方向に交差するようにし、偏向面に入射するレーザビームに角度を持たせ、偏向面を大きくしない構成が提案されている。（例えば、特許文献１参照）。
【特許文献１】特開２００４−２７６５３２号公報
【発明の開示】
【発明が解決しようとする課題】
【０００５】
しかしながら、通常、レンズは像面湾曲といわれる収差を有しており、光軸からの距離に応じて、フォーカス位置が異なってしまう。すなわち、主走査方向に異なる位置の発光点から出射したレーザビームは、光軸Ｇからの距離が異なるため、この距離の違いに応じて、各々のレーザビームのビームウエスト位置が異なった位置となる。
【０００６】
例えば、図９に示すような、偏向面の近傍で主走査方向に複数のレーザビームを交差させる偏向前レンズ５２６，５２７では、光軸から離れた位置を透過する主走査方向の端部側の光ビームＬＡは、感光体５１２上でビームウエスト位置が手前側になる。このようなビームウエスト位置の差のため、図１０に示すように、主走査方向の端部側（光軸から離れた位置）の光ビームと中央部（光軸部）の光ビームとで、感光体上５１２上のスポット径（ビーム径）に差が生じ、画像ディフェクトが発生する。
【０００７】
また、主走査方向端部側光ビームと中央部光ビームとでビームウエスト位置が異なるため、ねらいとするスポット径以下となる、いわゆる共通深度が狭くなりビームウエスト位置調整が困難となる。
【０００８】
なお、この図１０のＸ軸の「０」が感光体上のスポット径となる。また、各線を表す（３、１）は、発光点の位置を示す。例えば、上から三行目で、一端側から５列目の発光点は（３、５）である。よって、（３、１）は３行目の一端側の端の発光点から出射されたレーザビームを指し、同様に、（３、５）は真中、（３、９）は他端側の端の発光点から出射されたレーザビームを指す。
【０００９】
本発明は、上記問題を解決すべく成されたもので、主走査方向に間隔を持って射出された複数の光ビームの被走査体上でねらいとするスポット径以下となる共通深度を拡大し、安定したスポット径を得ることを目的とする。
【課題を解決するための手段】
【００１０】
請求項１に記載の光走査装置は、発光点が二次元配列され、主走査方向と副走査方向とに間隔を持って複数の光ビームを射出する光源と、前記光源から射出した複数の前記光ビームを同一の偏向面で反射し、主走査方向に偏向走査させる偏向器と、を備え、偏向走査された複数の前記光ビームにおける主走査方向に間隔を持った複数の光ビームで同一の被走査体上を同時に走査し、且つ、複数の被走査体上を同時に走査することがきる光走査装置であって、前記光源と前記偏向器との間に設けられ、コリメートレンズと、前記コリメートレンズでコリメートされた複数の前記光ビームを主走査方向に結像させる第１光学系と、前記第１光学系で結像された複数の前記光ビームを略平行とする第２光学系と、と有する偏向前光学系を備え、前記偏向前光学系を構成する前記第１光学系及び前記第２光学系は、複数の前記光ビームの前記被走査体上のビームウエスト位置が一致又は略一致するように設定された主走査断面形状が非円弧形状の非球面とされた偏向面内にのみパワーを有するアナモフィックレンズで構成されていることを特徴としている。
【００１１】
請求項１に記載の光走査装置は、偏向前光学系によって、複数の光ビームを主走査方向に交差させているので、偏向器が小型化できる。
【００１２】
更に、この偏向前光学系は、複数の各光ビームが主走査方向に異なる位置を透過しても、各光ビームの被走査体からのビームウエスト位置の差が減じるように設定されている。したがって、各光ビーム共通の焦点深度が確保でき所定のスポット径以下となる領域が広くできる。
【００１３】
なお、ビームウエスト位置とは、光ビームが結像された状態での最小スポット径となる位置を指す。
【００１５】
偏向前光学系は、コリメートレンズと、前記コリメートレンズでコリメートされた複数の前記光ビームを主走査方向に結像させる第１光学系と、前記第１光学系で結像された複数の前記光ビームを略平行とする第２光学系と、と有する。
コリメートレンズでコリメートされた複数の光ビームを第1光学系により主走査方向に結像されたのち、第２光学系により主走査方向に略並行とすることで、偏向器の偏向面の近傍で複数の光ビームを主走査方向に集まるように構成でき、偏向面を大きくすることがないため偏向器が小型化できる。
【００１６】
更に、この偏向前光学系は、各光ビームの被走査体上の主走査方向のビームウエスト位置の差を減ずるように設定されている。したがって、各光ビームで被走査体上のスポット径の差が少なく、また目標とするスポット径以下となる領域を広くすることができる。
【００１８】
すなわち、偏向前光学系を構成する第１光学系及び第２光学系を、複数の光ビームの被走査体上のビームウエスト位置が一致又は略一致するように設定された主走査断面形状が非円弧形状の非球面とされた偏向面内にのみパワーを有するアナモフィックレンズとすることで、各光ビームの被走査体上のビームウエスト位置の差を減じている。したがって、各光ビームで被走査体上のスポット径の差が少なく、目標とするスポット径以下となる領域を広げることができる。
また、副走査方向に間隔を持って複数の光ビームを射出し、複数の被走査体上を同時に走査することがきる。
【００１９】
請求項２に記載の光走査装置は、請求項１に記載の構成において、前記アナモフィックレンズは、光軸から主走査方向に離れるに従い、主走査方向のパワーが減ずることを特徴としている。
【００２０】
請求項３に記載の光走査装置は、アナモフィックレンズは、光軸から主走査方向に離れるに従い、主走査方向のパワーが減じているので、光軸から離れた位置を通過する光ビームが被走査面上で後側にウエスト位置がシフトし、光軸近傍を通過する光ビームとのビームウエスト位置の差が縮小する。
【００２１】
請求項４に記載の光走査装置は、請求項１又は請求項２に記載の構成において、前記偏向前光学系は、副走査方向のパワーも有し、前記偏向面近傍で副走査方向に集光することを特徴としている。
【００２４】
請求項４に記載の光走査装置は、偏向前光学系が副走査方向のパワーも有し、偏向面近傍で副走査方向に集光しているので、偏向器の偏向面の面倒れ補正が得られ、被走査面上でのピッチムラを低減することができる。
【発明の効果】
【００２５】
以上説明したように本発明によれば、主走査方向に間隔を持った射出された複数の光ビームの被走査体上でのスポット径の差が低減でき、共通深度を拡大することができる。
【発明を実施するための最良の形態】
【００２６】
図１に示すように、カラーレーザープリンタに備えられた光走査装置１０は、それぞれ矢印Ｖ方向に回転する感光体１２Ｙ、１２Ｍ、１２Ｃ、１２Ｋに、それぞれ光束群としてのレーザビーム群ＬＹ、ＬＭ、ＬＣ、ＬＫを照射して潜像を形成する。感光体１２Ｙ、１２Ｍ、１２Ｃ、１２Ｋに形成された潜像は、図示しない各色の現像器によって、それぞれイエロー（Ｙ）、マゼンタ（Ｍ）、シアン（Ｃ）、及びブラック（Ｋ）のトナー像が形成される。そして、各感光体上の各色トナー像は図示しない中間転写体に転写され重ね合われてフルカラートナー像となる。そして、中間転写体上のフルカラートナー像は一括して普通紙等の記録媒体に転写される。
【００２７】
なお、これ以降、ＹＭＣＫを区別する場合は、符号の後にＹ、Ｍ、Ｃ、Ｋのいずれかを付して説明し、ＹＭＣＫを区別しない場合は、Ｙ、Ｍ、Ｃ、Ｋを省略する。
【００２８】
光走査装置１０は、光源１４、偏向前光学系１６、偏向器としての回転多面鏡１８、及び走査光学系２０で構成され、単一の光源１４から４本のレーザビーム群ＬＹ、ＬＭ、ＬＣ、ＬＫを射出して、走査光学系において各レーザビーム群を分離して４本の感光体１２Ｙ、１２Ｍ、１２Ｃ、１２Ｋに結像走査させる。
【００２９】
なお、感光体１２において、回転軸方向が主走査方向であり、回転方向が副走査方向である。また、光走査装置１０の回転多面鏡１８の回転による偏向走査方向が主走査方向に対応する方向であり、偏向走査方向に直交する方向が副走査方向に対応する方向である。
【００３０】
光源１４は、８列×４行の計３２個の発光点Ｐが主走査方向、及び副走査方向の２次元に配列された面発光レーザービームアレイである。
【００３１】
図２（Ａ）に示すように、光源１４の副走査方向には、それぞれが８個の発光点Ｐで構成される４群の発光点群ＰＫ、ＰＣ、ＰＭ、ＰＹが副走査方向に配列されている。各発光点群は、主走査方向、及び副走査方向に対して傾斜して直線状に配列された８個の発光点Ｐで構成されている。即ち、各発光点群を構成する全発光点は、主走査方向、又は副走査方向の同一直線上に配列されてはいない。
【００３２】
発光点群ＰＫ、ＰＣ、ＰＭ、ＰＹは、それぞれレーザビーム群ＬＫ、ＬＣ、ＬＭ、ＬＹを射出する。また、図２（Ｂ）にも示すように、それぞれのレーザビーム群は、それぞれ８本のレーザビームＬＫ１〜ＬＫ８，ＬＣ１〜ＫＣ８，ＬＭ１〜ＬＭ８、ＬＹ１〜ＬＹ８からなる。そして、各レーザビーム群の８本のレーザビームは、感光体１２を同時に走査する。
【００３３】
なお、以降各色を区別しない場合、レーザビーム群Ｌと記し、レーザビームＬ１〜Ｋ８と記す。
【００３４】
さて、図１、図３に示すように、偏向前光学系１６は、それぞれ４群のレーザビーム群Ｌに共通のコリメートレンズ２２、第一偏向前レンズ２４、第二偏向前レンズ２６、シリンダーレンズ２７で構成されている。なお、図３（Ａ），（Ｃ）においては、図が煩雑となって判りにくくなるのを避けるため、レーザビームＬ１〜Ｌ８を全て図示せずに、省略して図示している。
【００３５】
光源１４から射出されたレーザビーム群Ｌの各光ビームＬ１〜Ｌ８は、コリメートレンズ２２、及び第一偏向前レンズ２４，第二偏向前レンズ２６によって、図３（Ａ）に示すように、回転多面鏡１８の偏向面１８Ａ近傍で主走査方向に略一点で交差した後、偏向面１８Ａに入射する。なお、第一偏向前レンズ２４、第二偏向前レンズ２６はアナモフィックな光学系となっている。
【００３６】
また、図３（Ｂ）に示すように、シリンダーレンズ２７は、副走査方向にパワーを持ち、回転多面鏡１８の偏向面１８Ａと感光体１２とを略共役な関係とし、回転多面鏡１８の偏向面１８Ａの傾きを補正する、いわゆる面倒れ補正光学系となっている。
【００３７】
なお、回転多面鏡１８は、六面の偏向面１８Ａを有し、毎分３万回転の速度で回転し、各レーザビームを各感光体１６に毎秒２５４ｍｍの速度で走査させる。
【００３８】
走査光学系２０は、レーザビーム群ＬＫ、ＬＣ、ＬＭ、ＬＹが通過するｆθレンズ群２８と、分離手段としての平面ミラー群３０とで構成されている。
【００３９】
ｆθレンズ群２８は、レーザビームＬ１〜Ｌ８を感光体１２上を等速度で走査させる、所謂ｆθ特性を備えたレンズ群である。
【００４０】
平面ミラー群３０は、各レーザビーム群毎に設けられた第１平面ミラー３４Ｙ、３４Ｍ、３４Ｃ、３４Ｋ、及び第２平面ミラー３６Ｙ、３６Ｍ、３６Ｃ、３６Ｋで構成されている。
【００４１】
第１平面ミラー３４Ｙ、３４Ｍ、３４Ｃ、３４Ｋは、ｆθレンズ群２８を透過し平面ミラー群３０へ入射した各レーザビーム群Ｌを反射する。また、第２平面ミラー３６Ｙ、３６Ｍ、３６Ｃ、３６Ｋは、第１平面ミラー３４Ｙ、３４Ｍ、３４Ｃ、３４Ｋによって反射された各レーザビーム群Ｌを各感光体１２へ向って反射する。
【００４２】
さて、図３（Ａ）に示しているように、光源１４から射出したレーザビーム群ＬのレーザビームＬ１〜Ｌ８は、コリメートレンズ２２と主走査方向にパワーを有する第一偏向前レンズ２４，第二偏向前レンズ２６からなる偏向前光学系１６により、回転多面鏡１８の偏向面１８Ａ近傍で各レーザビームの主光線が主走査方向に略一点で交差するように設定されている。よって、回転多面鏡１８を小型化できる。
【００４３】
更に、第一偏向前レンズ２４、及び第二偏向前レンズ２６のいずれか一方、又は両方を、図５に示すように、主走査断面の形状が非円弧形状の非球面レンズとすることにより、主走査方向に異なる位置の発光点から出射した各レーザビームＬ１〜Ｌ８を、各レーザビームＬ１〜Ｌ８の感光体１２からのビームウエスト位置の差が低減するように設定している。（図３（Ａ）、（Ｃ）参照）。また、第一偏向前レンズ２４，第二偏向前レンズ２６はアフォーカル光学系を構成しており、主走査方向にはコリメートレンズ２２により略平行とされた各レーザビームL１〜L８は第1偏向前レンズにより主走査方向に集光された後、第2偏向前レンズにより再び平行光とされた後、偏向面１８Ａにより偏向される。
【００４４】
このような構成とすることで、各レーザビームL１〜L８の主光線は、互いに収束しながら偏向面１８Ａに入射し、偏向後に各主光線は交差し、偏向面１８Ａを大きくせずに済み回転多面鏡１８の大型化を回避できる。
【００４５】
なお、第一偏向前レンズ２４，第二偏向前レンズ２６が、仮に球面形状であった場合、光軸Ｇから離れたレンズ周辺部の屈折作用は光軸Ｇ近傍のレンズ中央部より強いので、像面湾曲が起こりビームウエスト位置の差が大きくなる。（図９を参考）。
【００４６】
さて、第一偏向前レンズ２４，第二偏向前レンズ２６に用いる非球面レンズは、具体的には、図５に示すように、主走査断面の形状を、光軸Ｇから主走査方向に離れるに従い曲率が徐々に減じるように設定され、光軸Ｇから離れた位置を通過するレーザビームと光軸Ｇ近傍を通過するレーザビームとのビームウエスト位置の差を縮小する。
【００４７】
このような非球面レンズ（第一偏向前レンズ２４，第二偏向前レンズ２６）は、プラスチック整形または、ガラスモールド成形等によって形成される。また、非球面レンズ（第一偏向前レンズ２４，第二偏向前レンズ２６）の、具体的な仕様の一例を下記に示す。
【００４８】
非球面は、レンズ面の偏向面内の光軸近傍の曲率半径をＲ１Ｍとし、光軸とレンズ面との交点を原点としかつ光軸方向をｚ軸とするｙｚ平面を偏向面内に想定したとき、以下の式で表される曲線をｙ軸に平行な直線を回転軸として回転して得られる面である請求項１の走査レンズ。
【００４９】
z＝ｙ2 ／｛Ｒ１Ｍ＋√（Ｒ１Ｍ2 −（１＋Ｋ）ｙ2 ）｝＋Ａｙ4 ＋Ｂｙ6 ＋Ｃｙ8 ＋Ｄｙ10
ただし、Ｋは円錐定数、Ａ，Ｂ，Ｃ，Ｄは高次の非球面係数である。
【００５０】
本実施形態においては、第一偏向前レンズの光源側レンズ面および第二偏向前レンズの偏向器側レンズ面を上記非球面とし、その形状は以下のとおりである。
【００５１】
第一偏向前レンズ
λ=785nm、n=1.519139
R1M=-20.63、K=-2.773844
A=-0.419571×10-4、B=0.907826×10-4、C=-0.446791×10-4、D=0.778475×10-5
第二偏向前レンズ
λ=785nm、n=1.519139
R1M=51.9、K=-0.449473
A=0.209721×10-5、B=-0.289125×10-5、C=0.165789×10-7、D=-0.348644×10-9
ここでλは波長、nは屈折率であり、第一偏向前レンズ、第二偏向前レンズともに偏向面に直交する面の曲率半径は０であり、偏向面内のみにパワーを有するアナモフィックレンズである。
【００５２】
次に、本実施形態の作用について説明する。
【００５３】
いままで説明してきたように、光源１４から射出した各レーザビーム群ＬのレーザビームＬ１〜Ｌ８は、コリメートレンズ２２と主走査方向にパワーを有する第一偏向前レンズ２４，第二偏向前レンズ２６により回転多面鏡１８の偏向面１８Ａ近傍で主走査方向に交差するように構成されている。よって、回転多面鏡１８を小型化できる。
【００５４】
更に、第一偏向前レンズ２４，第二偏向前レンズ２６を、光軸から離れた位置を通過するレーザビームと光軸近傍を通過するレーザビームとの主走査方向のビームウエスト位置が略同一となるように主走査断面が非円弧形状となった非球面レンズとしている。つまり、光軸から主走査方向に異なる位置を通過するレーザビームＬ１〜Ｌ８であっても、ビームウエスト位置の差が殆どない。（図３（Ａ）、（Ｃ）参照）。よって、各レーザビームＬ１〜Ｌ８は、感光体１２上のスポット径が略均一となるので、画像ディフェクトのない良好な画像形成が行なえる。
【００５５】
なお、発光点の配列が主走査方向に一列、本実施形態では、例えば、レーザビーム群ＬＫのみの場合は、コリメートレンズ２２を、主走査方向に離れるに従い、曲率が徐々に減じるような非円弧形状の非球面レンズとしても良い。
【００５６】
しかし、本実施形態のように発光点が二次元配列されている場合は、各レーザビーム群Ｌのコリメートレンズ２２によるビームウエスト位置の差の縮小（像面湾曲の補正）は、その影響が主走査方向だけでなく、直交する副走査方向にもおよぶ。よって、面倒れ補正光学系のようなアナモフィックな光学系の場合、副走査方向のビームウエスト位置に対して過剰に影響を与えることになる。（各感光体１２Ｙ，１２Ｍ，１２Ｃ，１２Ｋにおけるビームウエスト位置に差が出る）。したがって、本実施形態のように、発光点が二次元配列の場合は、第一偏向前レンズ２４，第二偏向前レンズ２６を、アナモフィックな光学系として、主走査方向に非円弧形状の非球面レンズとすることが望ましい。
【００５７】
また、本実施形態では、回転多面鏡１８の偏向面１８Ａの副走査方向の面倒れ補正は、副走査方向にパワーを持つシリンダーレンズ２７で行なっていた。しかし、図４（Ａ）および（Ｂ）に示すように、ビームウエスト位置の差の縮小（像面湾曲の補正）と面倒れ補正との両方を兼ね備えた、すなわち、主走査方向と副走査方向との両方にパワーを持つ偏向前レンズ２６７を用いて、全体のレンズの枚数を減少させても良い。このような偏向前レンズ２６７の例としては、トーリックレンズや入射面と射出面とで各々直交する方向にパワーを持った直交レンズ等がある。本実施形態の場合、シリンダーレンズ２７のかわりに、レンズ２６の偏向面に直交する方向の曲率半径を-103.8mmとしたトーリックレンズとすることでレンズ枚数を低減することができる。
【００５８】
次に、実際に第一偏向前レンズ２４，第二偏向前レンズ２６を非球面レンズにすることによる、ビームウエスト位置の差とスポット径（ビーム径）の差を検証する。なお、第一偏向前レンズ２４，第二偏向前レンズ２６を通常の球面レンズとした場合が、図１１である。レーザビームL１〜L８のなかで、光軸上のレーザビームをLA、走査方向端部のレーザビームをLBとして、被走査面上でのフォーカス位置によるスポット径変化をプロットした図である。第一偏向前レンズ、第二偏向前レンズともに球面の構成とした場合、LAとLBでのビームウエスト位置差は約２ｍｍあり、狙いとするスポット径７５um以下とするとLA、LBともに７５um以下のスポット径を実現できる、いわゆる共通深度は約３．７ｍｍである。
【００５９】
「実施例１」
図６は、第一偏向前レンズ２４および第二偏向前レンズ２６を非球面レンズにした場合のグラフである。
【００６０】
なお、図６の各線を表すＬＡ、ＬＢは、発光点の位置を示し、前述のようにレーザビームL１〜L８のなかで、光軸上のレーザビームをLA、走査方向端部のレーザビームをLBとして、被走査面上でのフォーカス位置によるスポット径変化をプロットした図である。なお、他の図においても同様である。本実施例において、第一偏向前レンズおよび第二偏向前レンズの非球面形状は前述のとおりである。
【００６１】
図１１と図６とを比較すると判るように、第一偏向前レンズ２４および第２偏向前レンズ２６を非球面レンズとすることで、ビームウエスト位置の差は約２．５ｍｍから略０ｍｍとなると共に、ＬＡ、ＬＢともに７５um以下のスポット径を実現できる共通深度は５．５ｍｍと拡大するため安定したスポット径が得られることになる。
【００６２】
「実施例２」
図７は、第二偏向前レンズ２６を非球面レンズにした場合のグラフである。
【００６３】
第二偏向前レンズの形状は以下にしめす非球面シリンダーレンズである。
【００６４】
R1M=51.9、K=-1.072326
A=-0.102038×10-5、B=0.249992×10-6、C=-0.175046×10-7、D=0.424580×10-9
図１１と図７とを比較すると、第二偏向前レンズ２６を非球面レンズにすることで、ビームウエスト位置の差は約２．５ｍｍから約１．５ｍｍに減少し、ＬＡ、ＬＢともに７５um以下のスポット径を実現できる共通深度は約４ｍｍと若干改善している。
【００６５】
「実施例３」
図８は実施例２と同様に、第二偏向前レンズ２６を非球面レンズにした場合のグラフであり、第二偏向前レンズ非球面形状をさらに最適化したものである。
【００６６】
その形状は以下のとおりで、
R1M=51.9、K=-0.585034
A=0.197866×10-5、B=-0.317993×10-6、C=0.221744×10-7、D=-0.558972×10-9
図１１と図８とを比較すると判るように、第二偏向前レンズ２６を非球面レンズにし、非球面項を最適化すると、ビームウエスト位置の差は殆どなく、ＬＡ、ＬＢともに７５um以下のスポット径を実現できる共通深度は５ｍｍと拡大するため安定したスポット径が得られることになる。これは、第二偏向前レンズ２６は各レーザビームが通過する位置が主走査方向に離れているので、非球面レンズとした効果が得やすく、収差を良好に補正できるからである。
【図面の簡単な説明】
【００６７】
【図１】本発明の実施形態の光走査装置を模式的に示す斜視図である。
【図２】（Ａ）光走査装置の光源の発光点の配列を説明する図である。
【００６８】
（Ｂ）感光体上のレーザビームの走査を説明する図である。
【図３】（Ａ）レーザビームの主走査方向の軌跡を模式的に示す図である。
【００６９】
（Ｂ）レーザビームの副走査方向の軌跡を模式的に示す図である。
【００７０】
（Ｃ）（Ａ）の丸で囲った部分の拡大図である。
【図４】(Ａ)その他の実施形態の光走査装置のレーザビームの主走査方向の軌跡を模式的に示す図である。
【００７１】
(Ｂ)レーザビームの副走査方向の軌跡を模式的に示す図である。
【図５】非球面レンズの主走査断面の図である。
【図６】第一偏向前レンズおよび第二偏向前レンズを非球面レンズとした場合のスポット径の差を示すグラフである。
【図７】第二偏向前レンズを非球面レンズとした場合のスポット径の差を示すグラフである。
【図８】第二偏向前レンズを非球面レンズとし、非球面項を最適化した場合のスポット径の差を示すグラフである。
【図９】従来の光走査装置のレーザビームの主走査方向の軌跡を模式的に示す図である。
【図１０】従来の光走査装置のスポット径の差を示すグラフである。
【図１１】第一偏向前レンズと第二偏向前レンズを通常の球面レンズとした場合のグラフである。
【符号の説明】
【００７２】
１４      光源
１８Ａ    偏向面
１８      回転多面鏡（偏向器）
１２      感光体（被走査体）
１０      光走査装置
１６      偏向前光学系
２２      コリメートレンズ
２４      第一偏向前レンズ
２６      第二偏向前レンズ
【図１】
0004736660.tif 000002
【図２】
0004736660.tif 000003
【図３】
0004736660.tif 000004
【図４】
0004736660.tif 000005
【図５】
0004736660.tif 000006
【図６】
0004736660.tif 000007
【図７】
0004736660.tif 000008
【図８】
0004736660.tif 000009
【図９】
0004736660.tif 000010
【図１０】
0004736660.tif 000011
【図１１】
0004736660.tif 000012